(57)【要約】【課題】パチンコ遊技機を固定の枠体を島に固定するためのパチンコ遊技機の取付け装置を、パチンコ遊技機等との干渉が生じるためそれが使用できない場合であっても島から取外さなくてもよいように改良する。【解決手段】取付け装置１は、取付け装置１の島への固定をなすためのベース体２と、島への枠体の着脱自在な固定をなすための押圧体３とを備えている。押圧体３はベース体２に対して着脱自在とされており、押圧体３が遊技機等と干渉する場合には、押圧体３をベース体２から外して、ベース体２の近辺に保管する。【選択図】図３
2011104091.tif 000002
【特許請求の範囲】
【請求項１】
その内側にパチンコ遊技機が取付けられた矩形の枠体を、その上に前記枠体を載置するための下板を備えたパチンコ遊技機設置用の島に着脱自在に固定するために用いられるパチンコ遊技機の取付け装置であって、
前記下板に固定される略板状のベース体と、
前記ベース体に取付けられる、上下移動が可能であり、上側から下側に下がったときに枠体の下側の板である下側板の上面を下方向に押圧する押圧部、及び前記押圧部を上下移動させるための操作を行なうための操作手段を備えた押圧体と、
を備えており、
前記押圧体は、前記ベース体に対して着脱自在とされているとともに、
前記ベース体は、厚さが最大となっている部分の厚さが、前記下側板の厚さを上回らないようにされている、
取付け装置。
【請求項２】
前記押圧体は、それを横倒しにしたとき、その高さが前記下側板の厚さを上回らないようにされている、
請求項１記載の取付け装置。
【請求項３】
前記押圧体と、前記ベース体とを連結する線状体を備えており、前記ベース体から取外された前記押圧体は、前記線状体により前記ベース体に連結された状態を保つようになっている、
請求項１記載の取付け装置。
【請求項４】
前記ベース体が、板状のベース板と、ベース板の対向する２つの位置に立設された第１部材、及び第２部材とを備えているとともに、前記第２部材には、前記第１部材との距離が可変とされた移動部材が設けられており、
前記押圧部は、前記第１部材、及び前記第２部材の間に配置された状態で、前記移動部材を前記第１部材に近づけることにより、前記第１部材、及び前記第２部材により挟持されるようになっている、
請求項１記載の取付け装置。
【請求項５】
前記第１部材の前記押圧体と当接することが予定された部分と、前記押圧体の前記第１部材と当接することが予定された部分との一方には凸形状の第１凸部が、他方には前記第１凸部と対応した凹形状の第１凹部が、それぞれ設けられており、
前記第１凸部と前記第１凹部とを係合させることで、前記第１部材に対する前記押圧体の位置合わせを行えるようになっている、
請求項４記載の取付け装置。
【請求項６】
前記第１部材の前記押圧体と当接することが予定された部分と、前記ベース板の上面の所定の位置と、前記押圧体の下面の前記ベース板の上面の所定の位置に対応する位置との一方には凸形状の第２凸部が、他方には前記第２凸部と対応した凹形状の第２凹部が、それぞれ設けられており、
前記第２凸部と前記第２凹部とを係合させることで、前記ベース板に対する前記押圧体の位置合わせを行えるようになっている、
請求項４記載の取付け装置。
【発明の詳細な説明】
【技術分野】
【０００１】
本発明は、一般に「島」と呼ばれる遊技機設置台ユニットにパチンコ遊技機の枠体を取付けるための取付け技術に関する。
【背景技術】
【０００２】
パチンコ遊技機は、一般的に、島と呼ばれる遊技機設置台ユニットに取付けて使用される。より詳細には、パチンコ遊技機は、通常は４枚の板材を矩形に組み合わせて作られる所定幅の枠体の内側に固定した後、その枠体を島に固定することにより、島に取付けられる。
従来、枠体の島への取付けは、島のテーブルの上に枠体を載置した上で、島が木製であるのが通常であるということもあり、釘や木ねじ、ボルト等を用いて行っている。
【０００３】
しかしながら、釘や木ねじ、ボルト等を使用して行う従来の枠体の島への固定は、固定の際にも、一度島へ固定した枠体を島から取り外す際にも手間がかかる。島に取付けられた後においてもパチンコ遊技機はその傾斜角度などに調整の必要が生じる場合もあるので、枠体の島への固定、取外しの手間はばかにならない。
【０００４】
このような点を考慮し、本願発明者らは、先に特開平１０−８０５６３として新たなパチンコ遊技機の取付け装置（以下、単に「取付け装置」と称する場合がある。）を提案した。この装置による取付け装置の一部の概略は以下の通りである。
図１１に示すように、取付け装置２００は、本体部２０１、押圧部２０２、及び操作レバー２０３を有している。本体部２０１は、島Ｙの島下板Ｙ１の上面にビス止めするための平板部２０４に、鞍部２０５とアジャスタ用板２０６を設けた構造とされている。アジャスタ用板２０６には、アジャスタボルト２０７が組付けられている。押圧部２０２は、Ｌ字状に形成したフレーム部２０８の先端にボルト構造の押圧棒２０９を組付けて形成し、そのフレーム部２０８の基端を本体部２０１の鞍部２０５にリンク的に接続されている。
操作レバー２０３は、その先端をフレーム部２０８にリンク的に接続すると共に、その中間部が本体部２０１の鞍部２０５に対しリンク片２１０によりリンク的に接続されている。
この取付け装置は、図１１のようにパチンコ遊技機Ｐの枠体Ｘ下部の上面に対して押圧部２０２を上方向から当接させた状態で用いる。取付け装置はアジャストボルト２０７を備えている。アジャスタボルト２０７は軸周りの回転により前後動が可能となっており、取付け装置による枠体Ｘの固定を解除した状態で、アジャスタボルト２０７を適宜に位置決めし、アジャスタボルト２０７に枠体Ｘの下側の板を当接させることにより、パチンコ遊技機Ｐの枠体Ｘと本体部２０１との位置関係の調整をなすものである。操作レバー２０３を矢印Ｒの方向に引き下げることで、枠体Ｘの下側の板を押圧部２０２により底面との間で狭圧することができ、パチンコ遊技機Ｐの島Ｙへの固定を実現できる。他方、操作レバー２０３を矢印Ｌの方向に引き上げると押圧部２０２が矢印Ｒの方向に上がり、固定が解除される。
【発明の概要】
【発明が解決しようとする課題】
【０００５】
しかし、近年のパチンコ遊技機には、様々な大きさのものがあり、そのなかにはパチンコ遊技機の枠体付近までパチンコ遊技機の部品があるような場合がある。また、パチンコ遊技機の仕様によっては、パチンコ遊技機の裏側にまでパチンコ遊技機の部品等が食み出ている場合がある。そのような場合には、パチンコ遊技機の後方（本願において、前後の概念は、パチンコ遊技機の前後に一致するものとする）に取付けられることを通常とする従来の取付け装置は、パチンコ遊技機（その付属品等も含む）と干渉しあうことになる。特に、上述の如き取付け装置は、枠体の下側の板を上側から押圧部により押さえ付けるようになっているその構造上、押圧部がどうしても枠体の下側板の上側の面より高い位置に存在することになるため、パチンコ遊技機との干渉が生じ易い。
パチンコ遊技機との干渉が生じる場合には、取付け装置を取外して他の手段、例えば、従前どおりの釘や木ねじ、ボルト等を用いてパチンコ遊技機の島への取付けを行うことにすればよいが、取付け装置の取外しは手間であるし、また、取付け装置の取外しを行ってしまうと、取付け装置を用いることができる仕様のパチンコ遊技機を再び島に取付けることとなった際に取付け装置を島に再度固定する手間が生じることになる。そのような取付け装置の島への着脱の手間は馬鹿にならず、実際、一旦取付け装置を島から取外した後には取付け装置を２度と使用しなくなる、という事態が生じているのが現状である。
【０００６】
本願発明はそのような事態の発生を防止できる、実用的な取付け装置の提供をその課題とする。
【課題を解決するための手段】
【０００７】
本願発明者は、上述の課題を解決するために、以下のような取付け装置を提案する。
本願発明は、その内側にパチンコ遊技機が取付けられた矩形の枠体を、その上に前記枠体を載置するための下板を備えたパチンコ遊技機設置用の島に着脱自在に固定するために用いられるパチンコ遊技機の取付け装置である。
そして、この取付け装置は、前記下板に固定される略板状のベース体と、前記ベース体に取付けられる、上下移動が可能であり、上側から下側に下がったときに枠体の下側の板である下側板の上面を下方向に押圧する押圧部、及び前記前記押圧部を上下移動させるための操作を行なうための操作手段を備えた押圧体と、を備えており、前記押圧体は、前記ベース体に対して着脱自在とされているとともに、前記ベース体は、厚さが最大となっている部分の厚さが、前記下側板の厚さを上回らないようにされている。
このような取付け装置であれば、取付け装置がパチンコ遊技機と干渉する場合であれば、枠体の下側板の厚さを上回らないこととなっているベース体を残して、押圧体を除去することができる。パチンコ遊技機の枠体の後側に食み出した部分は、下側板の後側には存在しないのが通常なので、上述した押圧体の除去により、パチンコ遊技機と取付け装置の干渉は、略確実に避けられる。他方、この取付け装置であれば、取付け装置とパチンコ遊技機との干渉が生じない場合には、除去した押圧体を再びベース体に取付けることにより取付け装置の再度の利用が可能となる。
この取付け装置は、島に対する取付け装置の着脱に代えて、ベース体に対する押圧体の着脱を行なうものであるが、ベース体に対する押圧体の着脱は、釘や木ねじ、ボルト等を用いる島に対する取付け装置の着脱よりも簡単にすることが可能であるので、従前の取付け装置に比べて利用し易いものとすることが容易である。
【０００８】
本願発明の取付け装置の押圧体は、上述したようにベース体に対して着脱できるようにされる。ベース体から取外された押圧体は、島の内部か否かの別は問わないが、パチンコ遊技機との干渉が生じない適宜の部分に置くこととすればよい。
もっとも、前記押圧体は、それを横倒しにしたとき、その高さが前記下側板の厚さを上回らないようにされていてもよい。そのような押圧体であれば、枠体の下側板の後側の空きスペースに、ベース体から取外した押圧体を置くことを可能とするので、ベース体から取外した押圧体を次に用いるまで保管するに便利である。
【０００９】
本願発明の取付け装置は、前記押圧体と、前記ベース体とを連結する線状体を備えており、前記ベース体から取外された前記押圧体は、前記線状体により前記ベース体に連結された状態を保つようになっていてもよい。押圧体は、上述したようにベース体から取外されるようになっているが、ベース体から取外された押圧体が線状体によりベース体に連結された状態を保つようになっていれば、ベース体から取外された押圧体の紛失の可能性がなくなる。
【００１０】
本願発明において、ベース体と、押圧体とを着脱自在にするための構成はどのようなものであっても構わないが、釘や木ねじ、ボルト等を用いて行なわれていた取付け装置の島への従前の取付け作業よりもベース体への押圧体の着脱を容易に行なえるようなものとなっているのが好ましい。
例えば、前記ベース体が、板状のベース板と、ベース板の対向する２つの位置に立設された第１部材、及び第２部材とを備えているとともに、前記第２部材には、前記第１部材との距離が可変とされた移動部材が設けられており、前記押圧部は、前記第１部材、及び前記第２部材の間に配置された状態で、前記移動部材を前記第１部材に近づけることにより、前記第１部材、及び前記第２部材により挟持されるようになっている、という構成を採用できる。移動部材は、例えば、第２部材に螺合させられたボルトであり、軸周りのその回転により第１部材に近づき或いは遠ざかるようなものとすることができる。
【００１１】
本願発明は、前記第１部材の前記押圧体と当接することが予定された部分と、前記押圧体の前記第１部材と当接することが予定された部分との一方には凸形状の第１凸部が、他方には前記第１凸部と対応した凹形状の第１凹部が、それぞれ設けられており、前記第１凸部と前記第１凹部とを係合させることで、前記第１部材に対する前記押圧体の位置合わせを行えるようになっているものとすることができる。ベース体への押圧体の位置合わせを容易にすることで、ベース体への押圧体の取付けをより容易にすることができる。
ベース体への押圧体の位置合わせは、これに限らず、前記第１部材の前記押圧体と当接することが予定された部分と、前記ベース板の上面の所定の位置と、前記押圧体の下面の前記ベース板の上面の所定の位置に対応する位置との一方には凸形状の第２凸部が、他方には前記第２凸部と対応した凹形状の第２凹部が、それぞれ設けられており、前記第２凸部と前記第２凹部とを係合させることで、前記ベース板に対する前記押圧体の位置合わせを行えるようになっている、という構成により実現しても構わない。
ベース体の押圧体への位置合わせを、上述の２つの構成の双方を採用して実現することも当然に可能である。
なお、第１凹部と第２凹部はともに、穴であっても、孔であっても構わない。
【図面の簡単な説明】
【００１２】
【図１】本発明の一実施形態の取付け装置を用いて島に取付けられる枠体の構成を示す斜視図。
【図２】本発明の一実施形態の取付け装置を用いて枠体が取付けられる島の構成を示す斜視図。
【図３】本発明の一実施形態による取付け装置の正面図。
【図４】図３に示した取付け装置の平面図。
【図５】図３に示した取付け装置の右側から見た側面図。
【図６】図３に示した取付け装置が備えるベース体の平面図。
【図７】図３に示した取付け装置が備えるベース体の右側から見た側面図。
【図８】図３に示した取付け装置が備えるベース体の背面図。
【図９】図３に示した取付け装置が備える押圧体の平面図。
【図１０】図３に示した取付け装置が備える押圧体の右側から見た側面図。
【図１１】従来の下部取付け装置の側面図。
【発明を実施するための形態】
【００１３】
以下に、本発明を実施するための最良の一実施形態を、図面を参照しつつ説明する。
【００１４】
この実施形態によるパチンコ遊技機の取付け装置は、図示を省略のパチンコ遊技機を島に取付けるために用いられるものであるが、その場合のパチンコ遊技機は、図１に示したような枠体Ｘに取付けられた状態で、島に取付けられる。
この実施形態の枠体Ｘは、必ずしもこの限りではないが、木製である。枠体Ｘは、所定幅の４枚の板状の部材を矩形に組合わせてなる。枠体Ｘを作る上下左右の各部材の幅は、この実施形態では等しくされている。つまり、この実施形態では、枠体Ｘの前後方向の長さは枠体Ｘのすべての部分で等しい。また、枠体Ｘを構成する４枚の板状の部材の厚みは、必ずしもこの限りではないが、この実施形態ではすべて等しくなっている。枠体Ｘを構成する４枚の板状の部材のうち、下側に位置するものが下側板Ｘ１である。
枠体Ｘの内側の空間には、図示を省略の遊技機が嵌め込まれ固定される。かかる遊技機の枠体Ｘに対する固定は従来から普通に行われているので、適当な周知技術を用いて行うことができる。
【００１５】
次に、上述の枠体Ｘに固定されたパチンコ遊技機を取付けるための島の構造、及び島への取付け装置の取付け状態について図２を用いて説明する。
島１００は、極普通の周知のものでよい。本来であれば島１００は、パチンコ遊技機を横並びに取付けるものとなっているが、この実施形態では、島がパチンコ遊技機を１つだけ取付けるためのものであることとして説明を行う。
【００１６】
これには限られないが、この実施形態における島１００は、木材を組合わせて出来ている。図２に示したように、島１００は縦方向に延びる２本の柱１０１を備えている。２本の柱１０１は、横方向に延びる梁１０２、テーブル１０３などにより互いに連結されている。梁１０２は、必ずしもこの限りではないが、板状である。
島１００が備えるテーブル１０３は、本願発明における下板に相当するものであり、この実施形態では木製である板材により形成されており、足下（床）から７０〜８０ｃｍ程度の高さに水平に取付けられている。テーブル１０３は、その上に、パチンコ遊技機が固定された上述の枠体Ｘをその上に載置させるためのものである。テーブル１０３を構成する板材の幅（即ち、テーブル１０３の図２における左手前から右奥にかけての長さ）は、枠体Ｘをテーブル１０３に余裕をもって載せられるように、枠体Ｘの下側板Ｘ１の幅よりも大きくされている。
【００１７】
梁１０２の上方には、枠体Ｘの上側からパチンコ遊技機の固定をなすための上固定装置１１０が取付けられている。詳細は省略するが、上固定装置１１０は、上下動可能な図示を省略の上下部材を備えており、下方に移動させた上下部材の下面で上側から枠体Ｘを下方向に押圧することにより、テーブル１０３との間で枠体Ｘを挟持して、島１００へのパチンコ遊技機の固定をなすものである。上下部材を上方に移動させると、上下部材とテーブル１０３によりなされていた枠体Ｘの挟持が解消されるので、後述するように枠体Ｘの下側板Ｘ１の島への固定をなす取付け装置による下側板Ｘ１の固定が行われていなければ、枠体Ｘは島から取外せるようになる。
なお、上下部材の上下は、図２に矢印で示した方向にレバー１１１を回転させることにより、任意に行うことができるようになっている。また、梁１０２は、梁１０２の下側に移動することのある上下部材の移動を可能ならしめるための図示を省略の孔が穿たれている。
【００１８】
取付け装置１は、図２に示したように、テーブル１０３の上面に固定して取付けられる。この実施形態における取付け装置１は、必ずしもこの限りではないが、図２に示したように、左右に１つずつの２つを一対として用いることとしている。２つの取付け装置１の構造は、ともに同じである。
取付け装置１の構造について、説明する。
【００１９】
取付け装置１は、基本的には、図１１に示した従来の取付け装置の構成を踏襲している。
簡単にいうと、この実施形態における取付け装置１は、図１１に示した従来の取付け装置を、互いに一体とされたその押圧部２０２、操作レバー２０３、及び鞍部２０５を、鞍部２０５を除いたその本体部２０１に対して、着脱自在にしたという構成をその基本としている。
【００２０】
取付け装置１の構成を、図３〜１０に示す。
図３は、取付け装置１の正面図、図４は、取付け装置１の平面図、図５は、図３の右側から見た取付け装置１の側面図である。
図６は、取付け装置１に含まれる後述のベース体の平面図、図７は、図６の右側から見たベース体の側面図、図８は、ベース体の背面図である。
図９は、取付け装置１に含まれる後述の押圧体の平面図、図１０は、図９の右側から見た押圧体の側面図である。
【００２１】
取付け装置１は、平面視略矩形の金属製のベース体２を備えている。
ベース体２は、平面視略矩形の板状のベース板２１を備えている。
ベース板２１の適宜の位置には、貫通孔２１Ａが穿たれている。この実施形態では貫通孔２１Ａは２つである。貫通孔２１Ａは、ベース板２１のテーブル１０３への固定をなすためのものである。例えば、貫通孔２１Ａを貫通させた木ねじをテーブル１０３に螺合させることによって、ベース体２のテーブル１０３への固定が実現される。貫通孔２１Ａは長い小判形状の長孔となっているが、それは、テーブル１０３等に固定する木ねじ等の位置に、ある程度の自由度を与えるためである。ベース板２１の左右方向の略中央でやや後寄りの部分には、矩形の第１孔２１Ｂが設けられている。この第１孔２１Ｂは、ベース板２１を貫通している。
ベース板２１の前側の縁には、正面から見た場合に略矩形のベース板２１に対して鉛直な前板２２が接続されている。前板２２の正面から見て幅方向の略中心に位置する部分の上側の縁には、矩形の第１切欠２２Ａが、そしてその直下には第２切欠２２Ｂが設けられている。第２切欠２２Ｂは、前板２２の下方からベース板２１に跨った略Ｌ字型の切欠である。
【００２２】
ベース板２１には、また、アジャスタ機構２３が設けられている。アジャスタ機構２３は、ベース板２１にその下端が、また、前板２２に対してその先端がそれぞれ接続された互いに平行で且つ側面視で略５角形とされた２枚の支持板２３Ａと、この支持板２３Ａに挟まれた、略矩形のアジャスタ板２３Ｂとを備えている。アジャスタ板２３Ｂはその前方部分が前板２２の前方に位置するようになっている。それを可能とするため、前板２２にはアジャスタ板２３Ｂを通過させるための通過切欠２２Ｃが設けられている。アジャスタ板２３Ｂは外力により前後に移動できるようになっている。アジャスタ板２３Ｂの下方の縁には、ラチェット歯２３Ｃが切られている。ベース板２１の支持板２３Ａに挟まれた部分の所定の箇所には、ラチェット歯２３Ｃと噛み合う図示を省略のラチェット爪２３Ｄが設けられている。また、支持板２３Ａには、アジャスタ板２３Ｂを上側から下向きに常に付勢する、これも図示を省略の付勢バネ２３Ｅが設けられている。アジャスタ板２３Ｂの前方には、矩形の当接板２３Ｆが設けられている。当接板２３Ｆは、前板２２と平行である。アジャスタ板２３Ｂは、付勢バネ２３Ｅに下向きに付勢されている状態では、そのラチェット歯２３Ｃがラチェット爪２３Ｄに噛み合った状態となっており、前方への移動は許容されるものの後方への移動が制限される。他方、アジャスタ板２３Ｂは付勢バネ２３Ｅの付勢に抗してその前側の端部を軽く持ち上げると、ラチェット歯２３Ｃとラチェット爪２３Ｄの噛み合いが解除されて、前後いずれの方向にも移動できるようになる。アジャスタ板２３Ｂはこのような機構により前後方向の適宜の位置に位置決め可能であり、したがって、アジャスタ板２３Ｂに接続された当接板２３Ｆも、前後方向の適宜の位置に位置決め可能である。
【００２３】
ベース板２１の後側の縁近くには、挟持部２４が設けられている。挟持部２４は、平面視でコの字型に形成のコの字板２４Ａを備えている。コの字板２４Ａを形成する３枚の板のうちの平行な２枚の板には、同軸であり、ともに内周面にネジ切りのされた孔が設けられている。そして、それら２つの孔には、それら２つの孔を貫通させるようにしてボルト２４Ｂが螺合されている。ボルト２４Ｂは、軸周りに回転させることにより、挟持板２４Ａに対して前後動させることができるようになっている。したがって、ボルト２４Ｂの先端は、前板２２との距離を適宜に変更して位置決めすることができる。
なお、ボルト２４Ｂの先端をボルト２４Ｂの長さ方向に延長した直線は、平面視した場合、第１切欠２２Ａと、第２切欠２２Ｂに重なるようになっている。
【００２４】
取付け装置１は、押圧体３を備えている。
押圧体３は、ベース体２に対して、着脱自在とされている。
押圧体３は、１枚の板からなる鞍部３１、２枚の板からなる第１リンク板３２、１枚の板からなるレバー板３３、及び２枚の板からなる第２リンク板３４、及び第２リンク板３４の先端に設けられた先端部３５を備えている。
【００２５】
鞍部３１は、略矩形の上側の辺を凹ませた形状となっている。鞍部３１の前後方向の長さ（図１０における左右方向の長さ）は、ベース板２１の前板２２から挟持部２４までの距離に略一致している。
鞍部３１の前側の縁には、矩形の第１係止部３１Ａと、これも矩形の第２係止部３１Ｂが張り出している。第１係止部３１Ａは上述した第１切欠２２Ａに、第２係止部３１Ｂは上述した第２切欠２２Ｂにそれぞれ対応した形状となっている。鞍部３１の下側の縁には、矩形の第３係止部３１Ｃが張り出している。第３係止部３１Ｃは、上述した第１孔２１Ｂに対応した形状となっている。
【００２６】
第１リンク板３２は、上述したように２枚の板からなる。第１リンク板３２を構成する２枚の板は側面視した場合に互いに重なり合うようになっている。第１リンク板３２は、その下端を鞍部３１に、その先端をレバー板３３にそれぞれビス３２Ａ、３２Ｂによって接続されている。ビス３２Ａは、鞍部３１を挟み込んだ状態となっている第１リンク板３２を鞍部３１ごと貫いており、ビス３２Ｂは、レバー板３３を挟み込んだ状態となっている第１リンク板３２をレバー板３３ごと貫いている。第１リンク板３２は、ビス３２Ａを軸として鞍部３１に対して回転可能となっており、また、ビス３２Ｂを軸としてレバー板３３に対して回転可能となっている。
レバー板３３は上述したその前側の端部と後側の端部のなす角が略９０°になるようにカーブさせられた板状体であり、その後側の端部には把持部３３Ａが設けられている。必ずしもこの限りではないが、把持部３３Ａは樹脂製である。
第２リンク板３４は、上述したように２枚の板からなる。第２リンク板３４を構成する２枚の板は側面視した場合に互いに重なり合うようになっている。第２リンク板３４を構成する２枚の板はともに、その前側の端部と後側の端部のなす角が略９０°になるようにカーブさせられており、且つそれらの前側の端部では、それらの間に先端部３５を取付けられるように後側の端部よりも大きな間隔が開けられている。第２リンク板３４は、その下端を鞍部３１に、その中間部分（カーブしている部分）をレバー板３３にそれぞれビス３４Ａ、３４Ｂによって接続されている。ビス３４Ａは、鞍部３１を挟み込んだ状態となっている第２リンク板３４を鞍部３１ごと貫いており、ビス３４Ｂは、レバー板３３を挟み込んだ状態となっている第２リンク板３４をレバー板３３ごと貫いている。第２リンク板３４は、ビス３４Ａを軸として鞍部３１に対して回転可能となっており、また、ビス３４Ｂを軸としてレバー板３３に対して回転可能となっている。
【００２７】
先端部３５は、上述したように、第２リンク板３４の先端に取付けられている。
先端部３５は、上下方向に延びるボルト３５Ａを備えている。ボルト３５Ａの下端には、３つの爪を有する爪部材３５Ｂが設けられている。詳細な構成は省略するが、先端部３５は第２リンク板３４の前後方向に移動可能であり、前後方向の位置を適当に位置決めして第２リンク板３４に対して固定することができるようになっている。また、ボルト３５Ａの先端部３５に対する上下位置はボルト３５Ａの回転により適当に位置決めすることが可能である。つまり、この実施形態では、爪部材３５Ｂの前後、上下の位置は、適当に位置決め可能となっている。
上述した  鞍部３１、第１リンク板３２、レバー板３３、第２リンク板３４は、ビス３２Ａ、ビス３２Ｂ、ビス３４Ａ及びビス３４Ｂによる接続によりリンクされ、レバー板３３の把持部３３Ａを上下させることで、先端部３５を上下させられるようになっている。レバー板３３の把持部３３Ａを下げることにより、先端部３５が下がると、ボルト３５Ａの爪部材３５Ｂが、枠体Ｘの下側板Ｘ１を上から押圧する。爪部材３５Ｂが備える爪は、このとき下側板Ｘ１に食い込む程度に硬くされている。他方、レバー板３３の把持部３３Ａを上げることにより、先端部３５が上がると、ボルト３５Ａの爪部材３５Ｂが、枠体Ｘの下側板Ｘ１から離れる。
【００２８】
次に、以上説明した取付け装置１の使用方法を説明する。
取付け装置１を使用するには、まず、ベース体２をテーブル１０３に固定する。ベース体２は、取付け装置１で枠体Ｘの固定を行えるようにすべく、枠体Ｘの下側板Ｘ１が位置することが予定された位置の直後に取付け装置１が位置するようにその位置を調整して、テーブル１０３へ固定する。ベース体２のテーブル１０３への固定は、例えば、貫通穴２１Ａを貫通させた木ねじをテーブル１０３に螺合させることによって行なう。
なお、ベース体２をテーブル１０３に固定する際には、押圧体３はベース体２に取付けられていても、取付けられていなくてもどちらでもよい。この実施形態では、押圧体３がベース体２に取付けられているものとして以下説明を行なう。
【００２９】
次に、アジャスタ機構２３の操作を行い、追って配する枠体Ｘの位置を適当な位置に位置決めできるように予め準備を行う。
アジャスタ機構２３の操作は、当接板２３Ｆの位置を前後方向の適当な位置に位置決めすることにより行う。上述したように、アジャスタ板２３Ｂは、例えば当接板２３Ｆを摘むなどして前方への力をかけるとラチェット歯２３Ｃの歯のピッチずつ前方に移動させることが可能である。そのようにして、当接板２３Ｆを適当な位置に位置決めする。当接板２３Ｆが前方に来すぎた場合には、アジャスタ板２３Ｂの前方を、例えば当接板２３Ｆを摘むなどして上方に持ち上げれば、アジャスタ板２３Ｂを後方にずらすことが可能となるので、一旦アジャスタ板２３Ｂを後方に押し下げてから当接板２３Ｆを再び前方にずらして、当接板２３Ｆの位置を適当に位置決めすればよい。
【００３０】
次いで、遊技機をその内側に嵌め込まれた枠体Ｘをテーブル１０３の上に載置する。そのとき枠体Ｘの下側板Ｘ１の後側の面が当接板２３Ｆの前面に当接するようにする。
次いで、取付け装置１と、上固定装置１１０で枠体Ｘを固定する。取付け装置１と、上固定装置１１０のどちらによる固定を先に行うかは、適当に決定することができる。
取付け装置１による枠体Ｘの固定は、以下のようにして行う。なお、枠体Ｘがテーブル１０３に載置された段階では、レバー板３３の把持部３３Ａは上がった状態となっている。取付け装置１により枠体Ｘを固定するには、レバー板３３の把持部３３Ａを下げる。そうすることにより、先端部３５が下がり、先端部３５に固定のボルト３５Ａの下端に設けられた爪部材３５Ｂが、枠体Ｘの下側板Ｘ１を上から押圧する。このとき爪部材３５Ｂが備える爪は、下側板Ｘ１に食い込むから、取付け装置１による枠体Ｘの固定は強固なものとなる。
【００３１】
枠体Ｘを島から取り外す場合には、取付け装置１と上固定装置１１０による枠体Ｘの固定を解除すればよい。どちらの解除を先に行なうかは、適当に決定することができる。
取付け装置１による枠体Ｘの固定を解除するには、レバー板３３の把持部３３Ａを上げればよい。そうすることにより、先端部３５が上がり、ボルト３５Ａの爪部材３５Ｂが枠体Ｘの下側板Ｘ１の上面から離れ、取付け装置１による枠体Ｘの固定が解除される。
【００３２】
次の遊技機を島に取付ける場合には、以上の処理を繰り返せばよい。
遊技機を島に取付ける場合であって、遊技機等が取付け装置１に干渉する場合には、以下のようにして、テーブル１０３に固定されたベース体２から押圧体３を取外す。
押圧体３をベース体２から取外すには、挟持部２４のボルト２４Ｂを軸周りに回転させ、ボルト２４Ｂの先端を後進させ、鞍部３１の後側の端部に当接していたボルト２４Ｂの先端を鞍部３１から離す。
そうすると、鞍部３１は、その第１係止部３１Ａがベース体２の第１切欠２２Ａに、その第２係止部３１Ｂがベース体２の第２切欠２２Ｂに、その第３係止部３１Ｃがベース体２の第１孔２１Ｂにそれぞれ嵌り合っているだけの状態となり、ベース体２から取外せるようになる。
押圧体３を上方に持ち上げるようにして、鞍部３１の第１係止部３１Ａをベース体２の第１切欠２２Ａから、鞍部３１の第２係止部３１Ｂをベース体２の第２切欠２２Ｂから、鞍部３１の第３係止部３１Ｃをベース体２の第１孔２１Ｂから抜き取ると、ベース体２から押圧体３を取外せる。
取外した押圧体３は、遊技機等に干渉しない適当な場所（島の内部でもそうでなくてもよい）に保管すればよい。押圧体３は、例えば、ベース体２の隣など、テーブル１０３の上の枠体Ｘの後側の空きスペースに保管することも可能である。押圧体３の左右方向の厚さは、枠体Ｘの下側板Ｘ１の厚さよりも小さいので、押圧体３を横倒しにして枠体Ｘの後側の空きスペースに保管した場合、押圧体３が遊技機等と干渉することがない。
図示を省略するが、押圧体３の一部と、ベース体２の一部を線状体で結んでおくことも可能である。この実施形態の鞍部３１は、図１０で３１Ｄの符号を付けた孔を備えている。この孔と、例えば、ベース体２の挟持部２４に設けられたボルト２４Ｂの頭部とコの字板を形成する３枚の板のうち当該頭部と対向する板との間にボルト２４Ｂを貫通させた状態で配された、ボルト２４Ｂの頭部の外径よりも内径の小さなリングとを、ワイヤなどの所定の線状体で接続することが可能である。そうすることで、ベース体２から取外した押圧体３の紛失の可能性を小さくすることができる。なお、線状体の長さは、枠体Ｘの後側の上述の空きスペースに押圧体３を置くのに不自由がない程度の長さとしておけばよい。
【００３３】
遊技機を更に取り替えることとなり押圧体３と遊技機等の干渉が生じなくなったことにより再び取付け装置１を用いることとなった場合には、押圧体３をベース体２に再び取付ける。押圧体３のベース体２への取付けは、押圧体３をベース体２から取外すための上述の作業を、逆の手順で行なえばよい。
押圧体３をベース体２へ取付けた後の取付け装置１の用い方は、既に説明した通りである。
【符号の説明】
【００３４】
１  取付け装置
２  ベース体
３  押圧体
２１  ベース板
２２  前板
２３  アジャスタ機構
２４  挟持部
２４Ｂ  ボルト
３１  鞍部
３２  第１リンク板
３３  レバー板
３４  第２リンク板
３５  先端部
３５Ａ  ボルト
３５Ｂ  爪部材
１０３  テーブル
Ｘ  枠体
Ｘ１  下側板
【図１】
2011104091.tif 000003
【図２】
2011104091.tif 000004
【図３】
2011104091.tif 000005
【図４】
2011104091.tif 000006
【図５】
2011104091.tif 000007
【図６】
2011104091.tif 000008
【図７】
2011104091.tif 000009
【図８】
2011104091.tif 000010
【図９】
2011104091.tif 000011
【図１０】
2011104091.tif 000012
【図１１】
2011104091.tif 000013